(57)【要約】      （修正有）【課題】極めて簡単な構造としながら、養殖水を長期間にわたって魚の成育に最適な環境に保持して魚を元気に養殖できる養殖装置を提供する。【解決手段】魚の養殖装置は、海水又は淡水の養殖水を蓄えている魚の養殖池１と、養殖池１の養殖水９を浄化する光触媒の浄化材２とを備えている。浄化材２は、流紋岩が破砕され、かつ焼成された酸化チタンを含有する焼成破砕流紋岩３、又は表面に複数の切削溝を設けてなる焼成された焼成溝付き流紋岩の何れか又は両方としている。【選択図】図１
2020174569.tif 000002
【特許請求の範囲】
【請求項１】
海水又は淡水の養殖水を蓄えている魚の養殖池と、
前記養殖池の養殖水を浄化する光触媒の浄化材とを備え、
前記浄化材が、
流紋岩が破砕され、かつ焼成された酸化チタンを含有する焼成破砕流紋岩、又は表面に複数の切削溝を設けてなる焼成された焼成溝付き流紋岩の何れか又は両方であることを特徴とする魚の養殖装置。
【請求項２】
請求項１に記載する魚の養殖装置であって、
前記浄化材が、
前記養殖池の底に敷かれた無数の焼成破砕流紋岩であることを特徴とする魚の養殖装置。
【請求項３】
請求項２に記載される魚の養殖装置であって、
前記浄化材が、無数の前記焼成破砕流紋岩を通水性の袋に充填してなることを特徴とする魚の養殖装置。
【請求項４】
請求項１ないし３のいずれかに記載する魚の養殖装置であって、
前記浄化材が、前記養殖池の側面に固定されてなる焼成溝付き流紋岩であることを特徴とする魚の養殖装置。
【請求項５】
請求項１に記載する魚の養殖装置であって、
前記養殖池に循環路と循環ポンプを介して連結してなる養殖水の濾過器を備え、
前記濾過器に前記焼成破砕流紋岩を充填してなることを特徴とする魚の養殖装置。
【請求項６】
請求項５に記載する魚の養殖装置であって、
前記濾過器が濾過タンクを備え、前記濾過タンクに前記焼成破砕流紋岩が充填されてなることを特徴とする魚の養殖装置。
【請求項７】
請求項５に記載する魚の養殖装置であって、
前記濾過器が、
養殖水が通過して焼成破砕流紋岩を透過させない網目の濾過網と、
前記濾過網の上に敷設してなる焼成破砕流紋岩とを備え、
前記循環ポンプが、循環する養殖水を前記焼成破砕流紋岩の上面に供給することを特徴とする魚の養殖装置。
【請求項８】
請求項１に記載する魚の養殖装置であって、
前記養殖池の底に焼成破砕流紋岩が所定の厚さに敷設されて、側面に前記焼成溝付き流紋岩を固定してなることを特徴とする魚の養殖装置。
【請求項９】
請求項１ないし８のいずれかに記載する魚の養殖装置であって、
前記焼成破砕流紋岩と前記焼成溝付き流紋岩が、６００℃以上で焼成された流紋岩であることを特徴とする魚の養殖装置。
【請求項１０】
請求項１ないし９のいずれかに記載する魚の養殖装置であって、
前記養殖池が紫外線照射環境に配置されてなることを特徴とする魚の養殖装置。
【請求項１１】
請求項１ないし９のいずれかに記載する魚の養殖装置であって、
前記焼成破砕流紋岩又は前記焼成溝付き流紋岩に紫外線を照射する紫外線照射ランプを備えることを特徴とする魚の養殖装置。
【発明の詳細な説明】
【技術分野】
【０００１】
本発明は、魚の養殖装置に関し、とくに養殖水を流紋岩に接触させることで魚を好ましい成育環境で飼育できる養殖装置に関する。
【背景技術】
【０００２】
流紋岩を使用する魚の養殖装置は開発されている。（特許文献１参照）
【先行技術文献】
【特許文献】
【０００３】
【特許文献１】特開平７−２５６２６９号公報
【発明の概要】
【発明が解決しようとする課題】
【０００４】
特許文献１の養殖装置を図８に示している。この養殖装置は、養殖池９１からの養殖廃液を処理して固液分離する浄化槽９２と、浄化槽９２で固液分離された処理水を養殖池９１に返送する循環ポンプ９３と、浄化槽９２で固液分離された汚泥を導入して汚泥を培養する汚泥培養槽９４とを備えている。汚泥培養槽９４は、内部にフェノール及び／又はフェノール露出基を有する化合物を含む微生物代謝産物、若しくは腐植物からなる溶出充填材を充填している。汚泥培養槽９４は、好ましくは、腐植物等からなる溶出充填材と、安山岩質、流紋岩等の活性化した珪酸分が含まれる砕石からなる溶出充填材を充填部９５に充填している。流紋岩の採石を充填している充填部９５を通過した養殖水を浄化槽９２に環流している。
【０００５】
以上の魚の養殖装置は、全体の構造が極めて複雑となるにも関わらず、流紋岩を珪素成分として使用するので、流紋岩による養殖水の浄化効果が十分に期待できない。
【０００６】
本発明は、従来の魚の養殖装置が有する以上の欠点を解消することを目的に開発されたもので、本発明の目的の一は、極めて簡単な構造としながら、養殖水を長期間にわたって魚の成育に最適な環境に保持して魚を元気に養殖できる養殖装置を提供することにある。
【課題を解決するための手段】
【０００７】
本発明のある態様に係る魚の養殖装置は、海水又は淡水の養殖水を蓄えている魚の養殖池１と、養殖池１の養殖水９を浄化する光触媒の浄化材２とを備えている。浄化材２は、流紋岩が破砕され、かつ焼成された酸化チタンを含有する焼成破砕流紋岩３、又は表面に複数の切削溝７を設けてなる焼成された焼成溝付き流紋岩４の何れか又は両方としている。
【発明の効果】
【０００８】
以上の魚の養殖装置は、極めて簡単な構造としながら、養殖水を長期間にわたって魚の成育に最適な環境に保持して魚を元気に養殖できる特徴を実現する。
【図面の簡単な説明】
【０００９】
【図１】本発明の実施形態１に係る魚の養殖装置の概略構成図である。
【図２】本発明の実施形態２に係る魚の養殖装置の概略構成図である。
【図３】本発明の実施形態３に係る魚の養殖装置の概略構成図である。
【図４】本発明の実施形態４に係る魚の養殖装置の概略構成図である。
【図５】本発明の実施形態５に係る魚の養殖装置の概略構成図である。
【図６】焼成溝付き流紋岩の他の一例を示す斜視図である。
【図７】焼成溝付き流紋岩の溝を示す要部拡大断面図である。
【図８】従来の養殖装置を示す概略構成図である。
【発明を実施するための形態】
【００１０】
以下、図面に基づいて本発明を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
さらに以下に示す実施形態は、本発明の技術思想の具体例を示すものであって、本発明を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
【００１１】
本発明の第１の発明にかかる魚の養殖装置は、海水又は淡水の養殖水を蓄えている魚の養殖池と、養殖池の養殖水を浄化する光触媒の浄化材とを備える。浄化材は、破砕され、かつ焼成された酸化チタンを含有する焼成破砕流紋岩、又は表面に複数の切削溝を設けてなる焼成された焼成溝付き流紋岩の何れか又は両方である。
【００１２】
以上の養殖装置は、破砕され、かつ焼成された酸化チタンを含有する流紋岩からなる焼成破砕流紋岩や、焼成溝付き流紋岩で養殖水を殺菌するので、極めて簡単な構造としながら、長期間にわたって養殖水を魚の成育に最適な環境に保持して魚を元気に養殖できる特徴を実現する。酸化チタンを含有する流紋岩は、焼成することで水に浸漬する状態での殺菌性が著しく向上する。焼成された流紋岩は、含有する酸化チタンが光触媒の作用で養殖水を殺菌することに加えて、多孔質となって吸水性が向上し、内部に水が速やかに透過できる状態となって、内部に棲息する微生物が養殖水を殺菌して浄化するからである。焼成された流紋岩が含有する酸化チタンの光触媒は、それ自体は酸化も還元もしないが、太陽や蛍光灯等の紫外線照射ランプから照射される紫外線で化学反応を促進して養殖水を殺菌する。酸化チタンの光触媒は、それ自体が変化しないので効果は半永久で長期間にわたって優れた殺菌性を実現する。光触媒は、水と酸素から活性酸素とＯＨラジカルを発生し、酸化、還元反応によって有機物である細菌、ウイルス、汚れ、臭気、カビ、有害物質を二酸化炭素と水に分解する。焼成された流紋岩に含有される酸化チタンの光触媒は、オゾンや塩素よりも強力で、しかも強力な殺菌力のあるオゾンよりも強力な酸化分解作用があり、さらに有害物質を発生させたり、オゾンや塩素のように残留して魚の成育環境を阻害することがなく、高い安全性を保障しながら養殖水を効果的に殺菌して、長期間にわたって魚を快適な状態に保持する。
【００１３】
さらに、焼成されて多孔質となった流紋岩は、紫外線が照射されない領域では微生物が棲息して、微生物が養殖水に含まれる有機物を分解して浄化して清澄な状態に保持する。養殖池の底に焼成破砕流紋岩を敷設すると、上層部の焼成破砕流紋岩には紫外線が照射される。したがって、上層部の焼成破砕流紋岩が酸化チタンの光触媒作用で養殖水を殺菌して浄化する。上層部に敷設される焼成破砕流紋岩は、表面に紫外線が照射されて、表面の光触媒作用で養殖水を浄化する。多孔質な焼成破砕流紋岩は、内部に微細な空隙があるが、内部の微細な空隙には微生物が棲息して、微生物が有機物を分解して養殖水を浄化して清澄な状態に保持する。粒径の大きい焼成破砕流紋岩は、表面には紫外線が照射されて光触媒作用で養殖水を浄化するが、内部までは紫外線が照射されず、内部の微細な空隙には微生物が棲息する。内部に棲息する微生物は、内部に浸入する養殖水を浄化する。
【００１４】
さらに、流紋岩は、焼成されて多孔質となって吸水性が向上することに加えて、焼成されない流紋岩に比較して硬くなって物理的な耐久性が著しく向上する。養殖水を浄化して清澄な状態に保持する焼成された流紋岩は、洗浄することなく長期間にわたって優れた浄化作用を実現するが、多量の魚を成育する環境にあっては、定期的に洗浄することで、より優れた浄化作用を実現する。焼成破砕流紋岩は、逆洗し、あるいは撹拌して付着する異物を除去できるが、焼成して硬くなった流紋岩は、この工程での破損を防止できる。洗浄工程で撹拌しても破損しない流紋岩は、洗浄工程での養殖水の濁りが少なく、また、流紋岩が破砕しての摩耗を防止できる。洗浄工程で破損しない焼成破砕流紋岩は、洗浄を繰り返しても摩耗することがなく、また形状が崩れることがないので、長期間にわたって養殖水をスムーズに透過させて効率よく浄化できる。
【００１５】
本発明の第２の発明にかかる魚の養殖装置は、養殖池の底に敷かれた無数の焼成破砕流紋岩を浄化材としている。
以上の養殖装置は、養殖池の底に無数の焼成破砕流紋岩を敷設するので、広い面積わたって配置される焼成破砕流紋岩に効率よく紫外線を照射して、光触媒の作用で養殖水を殺菌できる。
【００１６】
本発明の第３の発明にかかる魚の養殖装置は、無数の焼成破砕流紋岩を通水性の袋に充填して浄化材としている。
以上の養殖装置は、焼成破砕流紋岩を通水性の袋に充填するので、多数の焼成破砕流紋岩を能率よく搬送し、敷設し、あるいはまた簡単かつ容易に取り出して洗浄や交換等ができる。
【００１７】
本発明の第４の発明にかかる魚の養殖装置は、養殖池の側面に固定されてなる焼成溝付き流紋岩を浄化材としている。
以上の養殖装置は、養殖池の側面にも光触媒の焼成溝付き流紋岩を配置するので、より効果的に養殖水を浄化できる。
【００１８】
本発明の第５の発明にかかる魚の養殖装置は、養殖池に循環路と循環ポンプを介して連結してなる養殖水の濾過器を備えており、濾過器に焼成破砕流紋岩を充填している。
以上の養殖装置は、焼成破砕流紋岩が充填された濾過器を、循環路と循環ポンプを介して養殖池に連結するので、養殖池に焼成破砕流紋岩を配置することなく、養殖水を濾過器に循環させて効率よく浄化できる。
【００１９】
本発明の第６の発明にかかる魚の養殖装置は、濾過器が濾過タンクを備え、濾過タンクに焼成破砕流紋岩を充填している。
以上の養殖装置は、濾過器の濾過タンクに焼成破砕流紋岩を充填しているので、多数の焼成破砕流紋岩を逆洗等により簡単かつ容易に洗浄しながら使用でき、養殖水を長期間にわたって魚の成育に最適な環境に保持できる。
【００２０】
本発明の第７の発明にかかる魚の養殖装置は、濾過器が、養殖水が通過して焼成破砕流紋岩を透過させない網目の濾過網と、濾過網の上に敷設してなる焼成破砕流紋岩とを備え、循環ポンプが、循環する養殖水を焼成破砕流紋岩の上面に供給している。
以上の養殖装置は、焼成破砕流紋岩を空気中に露出して配置できるので、焼成破砕流紋岩に効率よく紫外線を照射して光触媒の効果で効率よく養殖水を浄化できる。
【００２１】
本発明の第８の発明にかかる魚の養殖装置は、養殖池の底に焼成破砕流紋岩を所定の厚さに敷設して、側面に焼成溝付き流紋岩を固定している。
以上の養殖装置は、養殖池の底に敷設される焼成破砕流紋岩と側面に固定される焼成溝付き流紋岩の両方に紫外線を照射して、より効果的に光触媒の作用で養殖水を殺菌できる。
【００２２】
本発明の第９の発明にかかる魚の養殖装置は、焼成破砕流紋岩と焼成溝付き流紋岩を、６００℃以上で焼成された流紋岩としている。
以上の養殖装置は、焼成破砕流紋岩と焼成溝付き流紋岩を多孔質に焼成でき、内部にできる連続する微細な空隙により吸水特性を向上して、理想的な浄化材を実現できる。
【００２３】
本発明の第１０の発明にかかる魚の養殖装置は、養殖池を紫外線照射環境に配置している。
以上の養殖装置は、養殖池を紫外線照射環境に配置することで、養殖池に配置された焼成破砕流紋岩や焼成溝付き流紋岩に紫外線を効果的に照射して、含有する酸化チタンの光触媒の作用で養殖水を効率よく殺菌できる。
【００２４】
本発明の第１１の発明にかかる魚の養殖装置は、焼成破砕流紋岩又は焼成溝付き流紋岩に紫外線を照射する紫外線照射ランプを備えている。
以上の養殖装置は、焼成破砕流紋岩又は焼成溝付き流紋岩に紫外線ランプから紫外線を照射して、含有する酸化チタンの光触媒の作用で養殖水を効率よく殺菌できる。この構造の養殖装置は、紫外線ランプから紫外線を照射するので、たとえば養殖池に焼成破砕流紋岩や焼成溝付き流紋岩を配置する構造においては、養殖池の上部を閉塞することができ、また、濾過タンクの内部に焼成破砕流紋岩を充填して養殖水を循環させる構造においては、蛍光灯のない屋内に設置して焼成破砕流紋岩の光触媒で養殖水を殺菌できる。
【００２５】
（実施の形態）
図１ないし図５の概略図に示す魚の養殖装置は、海水又は淡水の養殖水９を蓄えている魚の養殖池１と、養殖池１の養殖水９に浸漬している、殺菌性又は抗菌性のある浄化材２とを備える。浄化材２は、流紋岩を破砕・焼成している焼成破砕流紋岩３、又は表面に複数の切削溝７を設けている焼成された焼成溝付き流紋岩４としている。
【００２６】
焼成破砕流紋岩３は、流紋岩を破砕した後に焼成し、あるいは焼成したものを破砕して製造できるが、好ましくは、破砕した後に焼成する。焼成破砕流紋岩３は、流紋岩を平均粒径が１ｍｍ〜５ｃｍとする粒状に破砕して焼成する。焼成破砕流紋岩３は、使用状態で最適な粒径に調整する。図１、図２及び図５に示すように、養殖水９の底に敷設する焼成破砕流紋岩３は、平均粒径を好ましくは１ｃｍ〜５ｃｍと大きくして、敷設する状態で養殖水９の通過しやすい隙間を設ける。図３に示すように、養殖水９を強制的に循環させる濾過器５に充填する焼成破砕流紋岩３は、平均粒径を１ｍｍないし５ｍｍとして、通過する養殖水９との接触面積を大きくする。図４に示すように、濾過網６の上に敷設して、上から養殖水９を散水する養殖装置は、焼成破砕流紋岩３の平均粒径を散水される養殖水９をスムーズに通過させながら、接触面積を大きくするために、好ましくは平均粒径を５ｍｍないし３ｃｍとする。
【００２７】
焼成破砕流紋岩３は、原石流紋岩を破砕した状態で焼成することで、焼成時間を短くして内部まで加熱できるので、焼成時間を短縮して能率よく焼成できる。流紋岩は、焼成温度が低すぎると、内部まで多孔質として好ましい吸水性を実現できず、また硬度が低くて破損しやすくなり、焼成温度を高くすると焼成コストが高くなり、さらに融点よりも高温で焼成する多孔質に出来ない。流紋岩は、７００℃〜９００℃で溶融するので、焼成温度は、たとえば６００℃以上であって９００℃以下、好ましくは８００℃〜９００℃が好ましい。焼成は、破砕した流紋岩を下り勾配に配置している回転するトロンメルに供給し、トロンメルで撹拌しながら移送して能率よく均一に焼成できる。以上の温度で焼成された流紋岩は、融点の低い酸化カリウムを数％含有するので、焼成工程で低融点の酸化カリウム等が溶融され、さらに高温に加熱されて内部の気体が熱膨張して強制的に排出されて多孔質となり、さらに溶融した低融点の酸化カリウム等が融材となって硬く焼結される。焼成された流紋岩は、内部で熱膨張したガスが強制的に排出されて多孔質となるので、多孔質な状態で内部にできる微細な空隙は、互いに連続する状態となって吸水特性も向上する。ちなみに、焼成されない流紋岩の表面に水滴を付着すると、水は表面張力で内部に吸収されることなく水滴となって付着するが、焼成した流紋岩は、表面に水を付着すると表面に水滴の状態で付着することなく速やかに内部に浸透して吸収される。
【００２８】
焼成溝付き流紋岩４は、多数の溝を切削加工して設けた後焼成し、あるいは焼成した後、表面に多数の溝を切削加工して設けるが、好ましくは、切削加工して溝を設けた後、焼成する。焼成して硬くなった状態では能率よく切削するのが難しいからである。焼成溝付き流紋岩４は、原石流紋岩の表面を鋸で切削して溝を設ける。図６の斜視図と図７の拡大断面図に示すように、溝７の横幅（Ｗ）は２ｍｍ〜３ｃｍとして、養殖水９が自由に通過でき、かつ紫外線を浸入できる幅とする。溝７は、横幅（Ｗ）を広くして、より深くまで紫外線を浸入できるが、横幅（Ｗ）の広い溝７は、多数に設けることができないので、好ましくは以上の範囲として、用途に最適な幅に調整する。隣接して配置する溝７の間隔（Ｌ）は、表面の強度を考慮して調整するが、好ましくは１ｃｍないし５ｃｍとする。間隔（Ｌ）を狭くして多数の溝７を配置して表面積を大きくできるが、狭すぎると強度が低下するので、強度と要求される表面積とを考慮して決定する。さらに溝７の深さ（Ｄ）は、深くして表面積を大きくできるが、深すぎると強度が低下するので、好ましくは１ｃｍないし３０ｃｍ、さらに好ましくは５ｃｍないし１０ｃｍとする。
【００２９】
図５の断面斜視図に示す焼成溝付き流紋岩４は、複数列の溝７を平行な姿勢で配置し、図６の斜視図に示す焼成溝付き流紋岩４は、碁盤格子状に溝７を設けている。図５と図６に示す焼成溝付き流紋岩４は、全体を板状に加工して表面に溝７を設けている。この焼成溝付き流紋岩４は、同じ深さの溝７を設けて表面積を大きくでき、また養殖水９の側面や底面に設置しやすい。ただ、焼成溝付き流紋岩４は、必ずしも全体を板状に加工することなく、表面に複数の溝７を設けることもできる。
【００３０】
焼成溝付き流紋岩４の溝７は、丸鋸で切削加工して設けることができる。溝７は、対向する内面を凹凸ができるように丸鋸で切削加工して、表面積をより大きくできる。切削加工して溝７を設ける丸鋸は、刃先の形状で対向する内面の凹凸を調整できる。この丸鋸は、溝７の対向面を線状に切削して凹凸を大きく、面状に切削して凹凸の小さい平面状に加工できる。
【００３１】
溝７は、流紋岩を固定して鋸を直線状に移動し、あるいは鋸を固定して流紋岩を直線状に移動して設けることができる。図５に示すように、複数列の平行溝７は、鋸と流紋岩とを、所定のピッチで繰り返し直線状に移動して設けることができる。図６に示すように碁盤格子状の溝７は、鋸と流紋岩とを所定のピッチで繰り返し直線状に移動した後、鋸と流紋岩とを相対的に直角に移動した後、さらに鋸と流紋岩とを、所定のピッチで繰り返し直線状に移動して設けることができる。
【００３２】
図５に示すように、平行溝７を設けている焼成溝付き流紋岩４は、図６の碁盤格子状の溝７を設けた焼成溝付き流紋岩４に比較して表面の強度を強くできる。平行溝７の焼成溝付き流紋岩４は、入射する紫外線の方向を考慮して養殖池１に設置されて、溝７内に効率よく紫外線を入射させる。図５の養殖装置は、平行溝７を上下方向に伸びる姿勢で配置して、上から入射される紫外線を溝７内に効率よく案内して光触媒の効果を高くしている。図６に示すように、碁盤格子状に溝７を設けた焼成溝付き流紋岩４は、表面積を広くでき、さらに入射する紫外線の方向によらず、紫外線で溝７の内面を効率よく照射して、光触媒による効果を高くできる。
【００３３】
以上の焼成破砕流紋岩３と焼成溝付き流紋岩４は、図１ないし図５に示す状態で養殖池１に設けられて養殖水９を浄化する。図１の養殖装置は、光触媒の浄化材２が、流紋岩を破砕して焼成した酸化チタンを含有する焼成破砕流紋岩３で、この焼成破砕流紋岩３を養殖池１の底に所定の厚さに敷設している。図２の養殖装置は、複数の焼成破砕流紋岩３を通水性の袋８に充填して、養殖水９の底に敷設している。さらに、図１ないし図５の養殖装置は、養殖水９を撹拌して酸素を補給するためにエアー曝気している。エアー曝気は、無数の微細な噴射穴のある曝気器１０を配置し、この曝気器１０に空気ポンプ１１から加圧空気を供給している。空気ポンプ１１から曝気器１０に供給される加圧空気は、微細な気泡となって養殖水９を浮上して、酸素を補給しながら養殖水９を循環して撹拌する。
【００３４】
図１と図２の養殖装置は、養殖池１の底に敷設する焼成破砕流紋岩３の平均粒径を、好ましくは１ｃｍ〜５ｃｍとする。この粒径の焼成破砕流紋岩３は、エアー曝気して撹拌される養殖水９を、焼成破砕流紋岩３の間にできる隙間に通過させて効率よく浄化できる。ただ、焼成破砕流紋岩３の平均粒径は、以上の範囲よりも小さく、あるいは大きくして、養殖水９を浄化することもできる。小さい焼成破砕流紋岩３は表面積が大きくなって、表面における光触媒の作用での浄化作用を効率よくでき、大きい焼成破砕流紋岩３は、敷設する状態で焼成破砕流紋岩３の間に大きな空隙ができるので、この隙間にスムーズに養殖水９を通過させて全体を効率よく浄化できる。
【００３５】
図１と図２の養殖装置は、養殖池１の上を開放しているので、屋外に設置されると太陽光線の紫外線が焼成破砕流紋岩３を照射し、屋内に設置される状態では室内の蛍光灯の紫外線が照射されて、光触媒の作用で養殖水９を殺菌する。図２の養殖装置は、焼成破砕流紋岩３を充填する袋８として、透光性を有する袋材を使用することで、充填される焼成破砕流紋岩３にも紫外線を照射して、光触媒の作用で養殖水９を殺菌できる。図１の養殖装置は、底の焼成破砕流紋岩３を撹拌して洗浄でき、図２の養殖装置は、焼成破砕流紋岩３を袋８に入れる状態で洗浄できる。
【００３６】
図１と図２の養殖装置は、養殖池１の開口面を１ｍ×２ｍ、水深を３０ｃｍ、底に敷設する焼成破砕流紋岩３の平均粒径を１ｃｍとして一層に敷設し、体長が５ｃｍないし２０ｃｍの魚を約３０匹入れ、魚を数日から数十日で交換して、２年間、養殖水９を交換することなく魚を元気に飼育することができた。
【００３７】
焼成破砕流紋岩３は、蛍光Ｘ線分析・ＥＺスキャンにおいて、以下の成分のものを使用した。
二酸化珪素（ＳｉＯ２）………… ７０．９％
酸化アルミニウム（Ａｌ２Ｏ３）…１６．６％
酸化ナトリウム（Ｎａ２Ｏ）……… ３．７％
酸化カリウム（Ｋ２Ｏ）…………… ２．８％
三酸化第二鉄（Ｆｅ２Ｏ３）…………２．２％
酸化カルシウム（ＣａＯ）…………３．０％
酸化マグネシウム（ＭｇＯ）………０．２％
酸化チタン（ＴｉＯ２）…………… ０．２％
【００３８】
図３の養殖装置は、濾過器５の濾過タンク１２に光触媒の浄化材２である焼成破砕流紋岩３を充填している。濾過タンク１２は循環ポンプ１３を介して養殖池１に連結されて、養殖池１の養殖水９を循環させている。さらに、濾過タンク１２は、光触媒の焼成破砕流紋岩３に紫外線を照射する紫外線ランプ１４を配置している。紫外線ランプ１４は防水構造で、濾過タンク１２に内蔵されて、焼成破砕流紋岩３に紫外線を照射する。濾過タンク１２は底部と上部に焼成破砕流紋岩３が通過しないが養殖水９を通過できる網材１５を設けている。焼成破砕流紋岩３は、上下の網材１５の間に充填されている。循環ポンプ１３は、濾過タンク１２の上部に養殖水９を供給し、濾過タンク１２を通過した養殖水９を養殖池１に環流して循環させる。濾過タンク１２は、下から上に通水して焼成破砕流紋岩３を逆洗する。逆洗は、逆洗水１６を濾過タンク１２に供給して焼成破砕流紋岩３を撹拌し、焼成破砕流紋岩３に付着した異物を濾過タンク１２の上から排水する。逆洗工程において、養殖池１の養殖水９は濾過タンク１２に循環させない。この構造の養殖装置は、濾過タンク１２の内部で焼成破砕流紋岩３に紫外線を照射するので、養殖池１の上部を閉塞することができ、また、蛍光灯のない屋内に設置して焼成破砕流紋岩３の光触媒で養殖水９を浄化できる。
【００３９】
図３の養殖装置は、図１と図２に示す装置と同じ組成の焼成破砕流紋岩３を使用し、養殖池１の開口面を１ｍ×２ｍ、水深を３０ｃｍとし、濾過タンク１２には、平均粒径を３ｍｍとする焼成破砕流紋岩３を約５０ｋｇ入れて、４００Ｗの循環ポンプ１３で養殖水９を循環し、養殖池１には体長が５ｃｍないし２０ｃｍの魚を約３０匹入れ、魚を数日から数十日で交換して、２年間、養殖水９を交換することなく魚を元気に飼育することができた。
【００４０】
図４の養殖装置は、養殖水９を浄化する濾過器５を、養殖水９が通過して焼成破砕流紋岩３を透過させない網目の濾過網６と、濾過網６の上に敷設している焼成破砕流紋岩３とで構成し、循環ポンプ１３で循環する養殖水９を焼成破砕流紋岩３の上面に供給している。この養殖装置は、濾過網６の上に敷設している焼成破砕流紋岩３の上に、養殖水９を散水し、焼成破砕流紋岩３を通過した養殖水９を養殖池１に循環する。養殖水９の散水は、濾過網６の上に、多数の散水孔を設けた散水パイプ１７を複数列に配置し、散水パイプ１７に養殖水９を供給して、焼成破砕流紋岩３の上に散水する。この装置は、焼成破砕流紋岩３を空気中に露出して配置するので、焼成破砕流紋岩３に効率よく紫外線を照射して光触媒の効果で効率よく養殖水９を浄化できる。濾過網６は、屋外に設置して太陽光線の紫外線を照射し、あるいは屋内に設置して蛍光灯で紫外線を照射する。この装置は、焼成破砕流紋岩３に散水する状態で、濾過網６の上で焼成破砕流紋岩３を撹拌して洗浄できる。
【００４１】
以上の養殖装置は、図１と図２に示す装置と同じ組成の焼成破砕流紋岩３を使用し、養殖池１の開口面を１ｍ×２ｍ、水深を３０ｃｍとし、濾過網６を長さ１ｍ、横幅５０ｃｍとして、この上に、平均粒径が１ｃｍの焼成破砕流紋岩３を約２０ｋｇ敷設し、４００Ｗのポンプで養殖水９を焼成破砕流紋岩３の上に散水し、養殖池１には体長が５ｃｍないし２０ｃｍの魚を約３０匹入れ、魚を数日から数十日で交換して、２年間、養殖水９を交換することなく魚を元気に飼育することができた。
【００４２】
図５の養殖装置は、養殖池１の底に焼成破砕流紋岩３を所定の厚さに敷設して、側面には焼成溝付き流紋岩４を固定している。この養殖装置は、養殖池１の側面にも光触媒の焼成溝付き流紋岩４を配置するので、より効果的に養殖水９を浄化できる特徴がある。養殖池１の側面に配置する焼成溝付き流紋岩４は、溝７が上下方向に伸びる姿勢として、上から照射される紫外線で効率よく光触媒の焼成溝付き流紋岩４で養殖水９を浄化できる。図示しないが、碁盤格子状の焼成溝付き流紋岩４を養殖池１の側面に固定して、養殖水９をより効果的に浄化することもできる。
【００４３】
以上の魚の養殖装置は、図１と図２に示す装置の焼成破砕流紋岩３と同じ組成の焼成溝付き流紋岩４を、養殖池１の全ての側面である４面に固定して、底には焼成破砕流紋岩３を敷設することなく、開口面を１ｍ×２ｍ、水深を３０ｃｍとする四角形の養殖池１を屋外に設置し、養殖池１には体長が５ｃｍないし２０ｃｍの魚を約３０匹入れ、魚を数日から数十日で交換して、２年間、養殖水９を交換することなく魚を元気に飼育することができた。ただし、焼成溝付き流紋岩４の厚さを１０ｃｍの板状として、表面には平行溝７を設けて、溝７の横幅（Ｗ）を１ｃｍ、溝７の間隔（Ｌ）を２ｃｍ、溝７の深さ（Ｄ）を１０ｃｍとした。
【産業上の利用可能性】
【００４４】
本発明の養殖装置は、屋外または屋内に設けた養殖池に蓄えられる養殖水を長期間にわたって魚の成育に最適な環境に保持できる養殖装置として、種々の魚の養殖に好適に使用できる。
【符号の説明】
【００４５】
１…養殖池
２…浄化材
３…焼成破砕流紋岩
４…焼成溝付き流紋岩
５…濾過器
６…濾過網
７…溝
８…袋
９…養殖水
１０…曝気器
１１…空気ポンプ
１２…濾過タンク
１３…循環ポンプ
１４…紫外線ランプ
１５…網材
１６…逆洗水
１７…散水パイプ
９１…養殖池
９２…浄化槽
９３…循環ポンプ
９４…汚泥培養槽
９５…充填部
【図１】
2020174569.tif 000003
【図２】
2020174569.tif 000004
【図３】
2020174569.tif 000005
【図４】
2020174569.tif 000006
【図５】
2020174569.tif 000007
【図６】
2020174569.tif 000008
【図７】
2020174569.tif 000009
【図８】
2020174569.tif 000010